(57)【要約】【課題】複数の無線通信方式で同時に待ち受けを行う場合に、待ち受け時の消費電力を低減することができる携帯電話機を提供する。【解決手段】アンテナスイッチ１２は、複数のダイオードからなる高周波スイッチであり、切替制御信号１５により無線通信方式Ａまたは無線通信方式Ｂのいずれかを選択する。方式Ａ用無線機１３および方式Ｂ用無線機１４は、無線通信方式Ａおよび無線通信方式Ｂのそれぞれに対応し、アンテナ１１を介して基地局との間でメッセージの送受信を行う。ＣＰＵ１５は、通常ダイオードをＯＦＦとするアンテナスイッチ１２の制御を行い、各無線通信方式の受信電界のモニターレベルが所定のレベル未満の時にのみ、当該無線通信方式を選択する切り替え制御を行う。【選択図】      図１
2005020444.tif 000002
【特許請求の範囲】
【請求項１】
複数の無線通信方式で同時に待ち受けを行うことができる携帯電話機であって、複数の無線通信方式で共用するアンテナと、複数の無線通信方式の各々に対応する複数の無線機と、無通電時に１つの無線機を選択する切り替え手段と、各無線通信方式の受信電界モニターレベルに基づいて前記切り替え手段を切替制御するＣＰＵ（中央処理装置）とを備えることを特徴とする携帯電話機。
【請求項２】
前記切り替え手段は、複数のダイオードを有し、前記ＣＰＵからの制御信号ＯＦＦ（無通電）の時、全てのダイオードがＯＦＦとなり、１つの無線通信方式を選択することを特徴とする請求項１記載の携帯電話機。
【請求項３】
前記ＣＰＵは、前記制御信号ＯＦＦで選択されている無線通信方式で待ち受け状態の時、他の無線通信方式の受信電界モニターレベルが所定のレベルを超えている場合には、前記制御信号ＯＦＦの状態を維持して間欠受信による受信電界レベルのモニターを行うことを特徴とする請求項１又は２記載の携帯電話機。
【請求項４】
前記ＣＰＵは、前記制御信号ＯＮで選択されている無線通信方式で待ち受け状態の時、前記制御信号ＯＦＦに切り替えて受信電界をモニターしたレベルが所定のレベルを超えている時には、前記制御信号をＯＦＦに切り替えることを特徴とする請求項１又は２記載の携帯電話機。
【請求項５】
複数の無線通信方式で同時に待ち受けを行うことができる携帯電話機であって、選択された無線通信方式で待ち受けている際に、選択されていない他の無線通信方式の受信電界モニターレベルが所定のレベルを超えている場合には、選択されていない状態を維持して受信電界のレベルモニターまたは待ち受けを行うことを特徴とする携帯電話機。
【請求項６】
複数の無線通信方式で同時に待ち受けを行うことができる携帯電話機であって、共通のアンテナと、複数の無線通信方式の各々に対応する複数の無線機と、前記アンテナと前記複数の無線機のそれぞれとを接続切り替えする切り替え手段と、前記切り替え手段を制御するＣＰＵ（中央処理装置）とを有し、前記アンテナと接続されていない該無線機で間欠受信による受信電界モニターレベルが所定のレベルに満たない場合に限り前記アンテナと該無線機とを接続する制御を行うことを特徴とする携帯電話機。
【発明の詳細な説明】
【０００１】
【発明の属する技術分野】
本発明は、複数の無線通信方式で同時に待ち受けを行うことができる携帯電話機に関し、特に待ち受け時の消費電力を低減することができる携帯電話機に関する。
【０００２】
【従来の技術】
複数の無線通信方式に対応した従来の携帯電話機では、小型化、軽量化のため、複数の無線通信方式に対して共通のアンテナを使用し、アンテナスイッチによっていずれかの方式を選択するようにしている（例えば、特許文献１参照。）。
【０００３】
また、このアンテナスイッチとして、構造が簡単且つ小型であり、電気的にＯＮ／ＯＦＦが可能な複数のダイオードを用いたスイッチが一般に使用されるようになってきた（例えば、特許文献２参照。）。
【０００４】
このような複数の無線通信方式で同時に待ち受けを行うことができる複数方式の携帯電話機は、複数の方式に対応した異なる無線機を搭載し、すべての無線通信方式をそれぞれ切り替えて待ち受けの動作を行う必要があるため電力消費が増大するという問題がある。
【０００５】
【特許文献１】
特開２００２−２９１０１６号公報
【特許文献２】
特開２００２−３０５４６２号公報
【０００６】
【発明が解決しようとする課題】
上述した従来の携帯電話機は、複数の無線通信方式をそれぞれ切り替えて待ち受けの動作を行う必要があるため電力消費が増大するという欠点がある。
【０００７】
本発明の目的は、このような従来の欠点を除去するため、各無線通信方式に対応する無線機の受信電界モニターレベルが十分大きい場合には、ダイオードＯＦＦ（無通電）とするアンテナスイッチの状態を維持したままで、受信電界のレベルモニターまたは待ち受けを行うことにより、待ち受け時の電力消費を低減できる携帯電話機を提供することにある。
【０００８】
【課題を解決するための手段】
本発明の携帯電話機は、複数の無線通信方式で同時に待ち受けを行うことができる携帯電話機であって、複数の無線通信方式で共用するアンテナと、複数の無線通信方式の各々に対応する複数の無線機と、無通電時に１つの無線機を選択する切り替え手段と、各無線通信方式の受信電界モニターレベルに基づいて前記切り替え手段を切替制御するＣＰＵ（中央処理装置）とを備えることを特徴としている。
【０００９】
また、前記切り替え手段は、複数のダイオードを有し、前記ＣＰＵからの制御信号ＯＦＦ（無通電）の時、全てのダイオードがＯＦＦとなり、１つの無線通信方式を選択することを特徴としている。
【００１０】
また、前記ＣＰＵは、前記制御信号ＯＦＦで選択されている無線通信方式で待ち受け状態の時、他の無線通信方式の受信電界モニターレベルが所定のレベルを超えている場合には、前記制御信号ＯＦＦの状態を維持して間欠受信による受信電界レベルのモニターを行うことを特徴としている。
【００１１】
また、前記ＣＰＵは、前記制御信号ＯＮで選択されている無線通信方式で待ち受け状態の時、前記制御信号ＯＦＦに切り替えて受信電界をモニターしたレベルが所定のレベルを超えている時には、前記制御信号をＯＦＦに切り替えることを特徴としている。
【００１２】
また、本発明の携帯電話機は、複数の無線通信方式で同時に待ち受けを行うことができる携帯電話機であって、選択された無線通信方式で待ち受けている際に、選択されていない他の無線通信方式の受信電界モニターレベルが所定のレベルを超えている場合には、選択されていない状態を維持して受信電界のレベルモニターまたは待ち受けを行うことを特徴としている。
【００１３】
また、本発明の携帯電話機は、複数の無線通信方式で同時に待ち受けを行うことができる携帯電話機であって、共通のアンテナと、複数の無線通信方式の各々に対応する複数の無線機と、前記アンテナと前記複数の無線機のそれぞれとを接続切り替えする切り替え手段と、前記切り替え手段を制御するＣＰＵ（中央処理装置）とを有し、前記アンテナと接続されていない該無線機で間欠受信による受信電界モニターレベルが所定のレベルに満たない場合に限り前記アンテナと該無線機とを接続する制御を行うことを特徴としている。
【００１４】
【発明の実施の形態】
次に、本発明の実施の形態について図面を参照して説明する。図１は、本発明の携帯電話機の一つの実施の形態を示すブロック図である。
【００１５】
図１に示す本実施の形態は、アンテナ１１と、アンテナスイッチ１２と、方式Ａ用無線機１３と、方式Ｂ用無線機１４と、アンテナスイッチ１２の切り替えなどを制御するＣＰＵ（中央処理装置）１６とより構成されている。
【００１６】
次に、本実施の形態の携帯電話機の動作を図１を参照して詳細に説明する。
【００１７】
図１によると、アンテナ１１は、１つのアンテナで無線通信方式Ａおよび無線通信方式Ｂの２つの無線通信方式での送受信が可能であり、アンテナスイッチ１２とプリント基板上で電気的に接続されている。
【００１８】
アンテナスイッチ１２は、特開２００２−３０５４６２号公報等に開示された複数のダイオードからなる高周波スイッチであり、切替制御信号１５により、複数のダイオードが全てＯＮまたはＯＦＦとなり、無線通信方式Ａまたは無線通信方式Ｂのいずれかを選択する。
【００１９】
方式Ａ用無線機１３および方式Ｂ用無線機１４は、アンテナ１１を介して、基地局との間でメッセージの送受信を行う。
【００２０】
ＣＰＵ１５は、携帯電話機が持つ機能全般の制御を行うものであり、ここでは、切替制御信号１５によりアンテナスイッチ１２の切り替えを制御する。
【００２１】
以上の構成において、本発明の携帯電話機は、２つの無線機が２つの無線通信方式それぞれに対応し、ダイオードが全てＯＦＦの場合に無線通信方式Ａが、全てＯＮの場合に無線通信方式Ｂが選択される仕様であり、また、無線通信方式Ａの待ち受け中に無線通信方式Ｂの受信電界レベルをモニターして、電波環境の良好な方に遷移することができる仕様になっているものとする。
【００２２】
なお、ダイオードが全てＯＦＦの状態において、アンテナ１１と方式Ａ用無線機１３とは無損失で接続され、アンテナ１１と方式Ｂ用無線機１４とはアイソレーションが例えば２０ｄＢであるものとする。
【００２３】
次に、本実施の形態の携帯電話機が無線通信方式Ａで待ち受け中の場合の動作について説明する。
【００２４】
アンテナスイッチ１２は、切替制御信号１５により、全てのダイオードがＯＦＦとなるモードで無線通信方式Ａを選択し、アンテナ１１と方式Ａ用無線機１３とを接続している。
【００２５】
この状態で無線通信方式Ｂの受信電界レベルを間欠的にモニターする場合、方式Ｂ用無線機１４は、アンテナスイッチ１２のダイオードがＯＦＦのままなので、アイソレーションに相当する２０ｄＢの減衰量を含んだ状態で受信電界レベルをモニターすることになる。
【００２６】
ここで、無線通信方式Ｂの受信電界レベルがモニター可能なほど十分に大きい場合には、測定した受信電界レベルに２０ｄＢの補正を加えることで真値が得られるため、アンテナスイッチ１２を切り替えることなく、方式Ｂ用無線機１４はレベルモニターの継続が可能となる。一方、無線通信方式Ｂの受信電界レベルが小さいか、無線通信方式Ｂが見つからない場合には、アンテナスイッチ１２を切り替えて無線通信方式Ｂの検波を行えば良い。
【００２７】
したがって、無線通信方式Ａで待ち受け中に無線通信方式Ｂをレベルモニターする時、無線通信方式Ｂの受信電界レベルが十分に大きい場合には、アンテナスイッチ１２を切り替える必要がないため、ダイオードをＯＮにするための消費電力を低減することが可能となる。
【００２８】
次に、本発明の無線機が無線通信方式Ｂで待ち受け中の場合の動作について説明する。
【００２９】
アンテナスイッチ１２は、切替制御信号１５により、全てのダイオードがＯＮとなるモードで無線通信方式Ｂを選択し、アンテナ１１と方式Ｂ用無線機１４とを接続している。
【００３０】
この場合には、アンテナスイッチ１２を切り替えてダイオードをＯＦＦとし、無線通信方式Ａを選択している間に、無線通信方式Ｂの受信電界レベルをモニターする。
【００３１】
無線通信方式Ｂの受信電界レベルが十分高くて受信可能な場合には、アンテナスイッチ１２を無線通信方式Ａの選択に切り替え、受信電界レベルが低い場合には、アンテナスイッチ１２を無線通信方式Ｂの選択のままとして待ち受けを継続する。
【００３２】
このようにして、無線通信方式Ｂで待ち受け中であっても、無線通信方式Ｂの受信電界レベルが十分に高い場合は、アンテナスイッチ１２をＯＦＦとして無線通信方式Ａを選択にすることにより、待ち受け時の消費電力をダイオードがＯＮとならない分だけ低減することが可能である。
【００３３】
なお、無線通信方式Ｂで待ち受け中には間欠的に無線通信方式Ａの受信電界レベルモニターを行うが、この場合、アンテナスイッチ１２のダイオードはＯＦＦとなるため、アンテナスイッチ１２で電力が消費されることはない。
【００３４】
以上説明したように、本実施の形態によれば、複数のダイオードを同時にＯＮ／ＯＦＦして複数の無線通信方式を切り替える場合に、複数のダイオードをＯＦＦにしたままで選択していない無線通信方式側の受信電界レベルモニターが行える場合には、複数のダイオードをＯＮするために必要な電力を低減することができるという効果がある。
【００３５】
なお、本実施の形態では、無線通信方式が２つの場合について説明したが、３つ以上の無線通信方式を電気的なスイッチで切り替える場合においても、同様な効果が期待できることは明らかである。図２は、無線通信方式が３つの場合を示すブロック図である。
【００３６】
図２によると、アンテナ２１と、アンテナスイッチ２２、２３と、方式Ａ用無線機２４、方式Ｂ用無線機２５および方式Ｃ用無線機２６と、切替制御信号２７、２８によりアンテナスイッチ２２、２３の切り替えを制御するＣＰＵ２９とより構成されている。
【００３７】
この実施例では、方式Ａ用無線機２４、方式Ｂ用無線機２５および方式Ｃ用無線機２６がカスケード接続されたアンテナスイッチ２２、２３により切り替えられることのほかの動作は、図１に示す動作と同様であるため、その説明を省略する。
【００３８】
【発明の効果】
以上説明したように、本発明の携帯電話機によれば、複数の無線通信方式を複数のダイオードのＯＮ／ＯＦＦ切り替えで選択する場合に、複数のダイオードがＯＦＦにあって、選択されていない無線通信方式の受信電界レベルが十分高い場合には、アンテナとの未接続による減衰量を補正するのみでレベルモニターすることにより、ダイオードがＯＮしない分だけ待ち受け時の消費電力を低減することが可能となる。
【００３９】
これより、待ち受け時間の長時間化が期待できる。
【図面の簡単な説明】
【図１】本発明の携帯電話機の一つの実施の形態を示すブロック図である。
【図２】無線通信方式が３つの場合を示すブロック図である。
【符号の説明】
１１    アンテナ
１２    アンテナスイッチ
１３    方式Ａ用無線機
１４    方式Ｂ用無線機
１５    切替制御信号
１６    ＣＰＵ
２１    アンテナ
２２、２３    アンテナスイッチ
２４    方式Ａ用無線機
２５    方式Ｂ用無線機
２６    方式Ｃ用無線機
２７、２８    切替制御信号
２９    ＣＰＵ
【図１】
2005020444.tif 000003
【図２】
2005020444.tif 000004